(57)【要約】【課題】枠の外観が容易に変更できる額縁を提供する。【解決手段】額縁１０は、写真、書画、および賞状等である被飾物１２を挟むカバー１４および裏板と、カバー１４と裏板の周囲に設けられる枠体１８とを有する。枠体１８は、カバー１４と裏板の周囲に渡って設けられる第一枠部材２０と、取り外しできるように第一枠体２０の前面に取り付けられる第二枠部材２２とを備える。第二枠部材２２は、カバー１４と裏板の周囲に渡って設けられる。第二枠部材２２は、カバー１４と裏板の周囲に沿って複数に分割されている。第一枠部材２０は、浅溝と、浅溝に設けられた深溝とを備え、第二枠部材２２は、浅溝に装着される装飾部材２８と、深溝に装着される嵌込部材３０とを備える。嵌込部材３０は、弾性体から構成される。【選択図】図１
0003183802.tif 000002
【実用新案登録請求の範囲】
【請求項１】
被飾物を挟むカバーおよび裏板と、前記カバーと前記裏板の周囲に設けられる枠体とを有する額縁であって、
前記枠体は、前記カバーと前記裏板の周囲に渡って設けられる第一枠部材と、取り外しできるように前記第一枠体の前面に取り付けられる第二枠部材とを備える額縁。
【請求項２】
請求項１において、
前記第二枠部材は、前記カバーと前記裏板の周囲に渡って設けられる額縁。
【請求項３】
請求項１または２において、
前記第二枠部材は、前記カバーと前記裏板の周囲に沿って複数に分割された額縁。
【請求項４】
請求項１から３のいずれかにおいて、
前記第一枠部材は、浅溝と、前記浅溝に設けられた深溝とを備え、
前記第二枠部材は、前記浅溝に装着される装飾部材と、前記深溝に装着される嵌込部材とを備える額縁。
【請求項５】
請求項４において、
前記嵌込部材は、弾性体から構成される額縁。
【考案の詳細な説明】
【技術分野】
【０００１】
本考案は、枠の外観が変更できる額縁に関する。
【背景技術】
【０００２】
写真、書画、および賞状等を入れて、壁などに掛ける額縁が知られている。従来は、季節や気分等によって額縁の枠の色、模様、形状などを替える場合、額縁ごと交換しなければならかった。額縁ごと交換するときは、中身の写真、書画、および賞状等も入れ替えなければならず、とてもわずらわしかった。
【考案の概要】
【考案が解決しようとする課題】
【０００３】
本考案は、このような事情に鑑みてなされたものであり、枠の外観が容易に変更できる額縁を提供することを目的とする。
【課題を解決するための手段】
【０００４】
本考案の額縁は、被飾物を挟むカバーおよび裏板と、カバーと裏板の周囲に設けられる枠体とを有する額縁であって、枠体は、カバーと裏板の周囲に渡って設けられる第一枠部材と、取り外しできるように第一枠体の前面に取り付けられる第二枠部材とを備える。
【０００５】
本考案の額縁において、第二枠部材は、カバーと裏板の周囲に渡って設けられていてもよい。また、本考案の額縁において、第二枠部材は、カバーと裏板の周囲に沿って複数に分割されていてもよい。本考案の額縁において、第一枠部材は、浅溝と、浅溝に設けられた深溝とを備え、第二枠部材は、浅溝に装着される装飾部材と、深溝に装着される嵌込部材とを備えていてもよい。また、本考案の額縁において、嵌込部材は、弾性体から構成されていてもよい。
【考案の効果】
【０００６】
本考案によれば、額縁の枠の外観が容易に変更できる。
【図面の簡単な説明】
【０００７】
【図１】本考案の実施形態に係る額縁の斜視図である。
【図２】本考案の実施形態に係る額縁の正面図である。
【図３】図２に示す額縁のＡ−Ａ線断面図である。
【考案を実施するための形態】
【０００８】
以下、本考案の額縁について、図面を参照しながら実施形態に基づいて説明する。図面は、額縁、額縁を構成する部材、および額縁の周辺部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本考案の実施形態に係る額縁１０の斜視図である。図２は、額縁１０の正面図である。図３は、図２に示す額縁１０のＡ−Ａ線断面図である。額縁１０は、写真、書画、および賞状等の被飾物１２を入れて、壁などに掛けて飾るためのものである。額縁１０は、被飾物１２を挟むカバー１４および裏板１６と、カバー１４および裏板１６の周囲に設けられる枠体１８とを備える。すなわち、カバー１４は被飾物１２の前面を覆い、裏板１６は被飾物１２の後面を覆う。
【００１０】
カバー１４は、被飾物１２が見えるように、ガラスやアクリル樹脂等の透明素材から構成される。裏板１６は、木製や樹脂製等の薄い板からなり、カバー１４とともに被飾物１２を挟んで、被飾物１２を平面的に支持する。裏板１６は、枠体１８の背面にネジ止めされた涙滴型を有する金属部材１９を回転して、裏板１６の背面に飛び出させることによって枠体１８に固定する。カバー１４の前面の縁は、図３に示すように、枠体１８の内側に接触している。枠体１８は、第一枠部材２０と、第二枠部材２２とを備える。第一枠部材２０は、木、樹脂、金属、セラミックス等の材料からなり、カバー１４と裏板１６の周囲に渡って設けられる。
【００１１】
第二枠部材２２は、第一枠部材２０の前面に取り外しできるように取り付けられる。したがって、第二枠部材２２を交換することによって、枠体１８の外観が容易に変更できる。第二枠部材２２を第一枠部材２０に取り付けたり、第二枠部材２２を第一枠部材２０から取り外したりする仕組みは以下のとおりである。第一枠部材２０は、図３に示すように、浅溝２４と、浅溝２４に設けられた深溝２６とを備える。また、第二枠部材２２は、浅溝２４に装着される装飾部材２８と、深溝２６に装着される嵌込部材３０とを備える。装飾部材２８は、木、樹脂、金属、セラミックス等の材料からなり、その表面は、着色されたり、模様が描かれたり、立体的な加工がされたりして、デザイン的に処理されている。嵌込部材３０は、ゴムやスポンジ等の弾性体から構成される。
【００１２】
そして、深溝２６に嵌込部材３０を差し込んだり、深溝２６から嵌込部材３０を引き抜いたりすることによって、第二枠部材２２を取り付けたり、取り外したりできる。第一枠部材２０が、浅溝２４と深溝２６とを備え、第二枠部材２２が、浅溝２４に装着される装飾部材２８と、深溝２６に装着される嵌込部材３０とを備えるため、第二枠部材２２が第一枠部材２０から落下しにくい。また、嵌込部材３０が弾性体から構成されるため、特別な道具を使わずに、深溝２６に嵌込部材３０が差し込んだり、深溝２６から嵌込部材３０を引き抜いたりすることができる。
【００１３】
本実施形態では、第二枠部材２２は、カバー１４と裏板１６の周囲に渡って、すなわち全周に設けられている。このため、枠体１８の外観の大半を変更することができる。また、第二枠部材２２は、カバー１４と裏板１６の周囲に沿って４つの枠片２２ａ，２２ｂ，２２ｃ，２２ｄに分割されている。このため、枠片２２ａ，２２ｂ，２２ｃ，２２ｄごとに、他の外観を有する枠片と交換でき、枠体１８の外観バリエーションが増える。例えば、枠片２２ａ，２２ｂ，２２ｃ，２２ｄの前面を、それぞれ春夏秋冬を連想する模様や色にすれば、四季をテーマとした被飾物１２に合う。
【００１４】
以上、実施形態に基づいて本考案の額縁を説明したが、本考案の額縁は上記実施形態に限定されない。例えば、被飾物が油絵等の場合、被飾物の周囲にライナーやマットと呼ばれる枠組を設けて、被飾物がカバーに密着しないようにしてもよい。また、被飾物と裏板との間に、合紙と呼ばれる台紙を挟んで、被飾物の裏面が直接裏板に接触しないようにしてもよい。上記実施形態では、第二枠部材がカバーと裏板の全周に設けられているが、第二枠部材は、カバーと裏板の周囲の一部に設けられてもよい。
【００１５】
また、上記実施形態では、第二枠部材がカバーと裏板の周囲に沿って４つに分割されているが、第二枠部材が一体であってもいし、２つ、３つ、または５つ以上に分割されていてもよい。また、第二枠部材は、第一枠部材の前面に、面ファスナーや磁力等によって着脱可能に取り付けられてもよい。また、上記実施形態では、枠体の表面が平面であったが、枠体の表面が曲面、すなわち、第一枠部材や第二枠部材の表面が曲面であってもよい。
【符号の説明】
【００１６】
１０…額縁、  １８…枠体、  ２０…第一枠部材、  ２２…第二枠部材
【図１】
0003183802.tif 000003
【図２】
0003183802.tif 000004
【図３】
0003183802.tif 000005